(57)【要約】【課題】  カッターや破砕機などの大掛かりな機器を用意する必要がなく、作業時間を大幅に短くでき、交通渋滞や交通安全などの問題も軽微で済み、雨水の水はけがスムーズになり、目地処理を行なわないで済む、コンクリートブロックなどに脱着できる縁石ブロック１を提供する。【解決手段】（イ）直方体形状の縁石ブロック１の底部２に、縁石ブロック１と一体になった直方体形状の足部３を２以上設ける。（ロ）直方体形状の縁石ブロック１の上面４から直方体形状の足部３の底部７の中央に通じる孔５を設ける。（ハ）孔５の内部に雌ネジ部６を設ける。【選択図】図３
0003130256.tif 000002
【実用新案登録請求の範囲】
【請求項１】
（イ）直方体形状の縁石ブロック１の底部２に、縁石ブロック１と一体になった直方体形状の足部３を２以上設ける。
（ロ）直方体形状の縁石ブロック１の上面４から直方体形状の足部３の底部７の中央に通じる孔５を設ける。
（ハ）孔５の内部に雌ネジ部６を設ける。
以上のような構成になっているコンクリートブロック１１に脱着できる縁石ブロック１。
【請求項２】
（チ）四角形状を成す上面１４に穴１５を２以上設ける。
（リ）穴１５を設ける位置は、四角形状を成す上面１４の長手方向で排水路１３に沿う直線上である。
（ヌ）穴１５の内部に雌ネジ部１６を設ける。
以上のような構成になっている、請求項１の縁石ブロック１を取り付けることができるコンクリートブロック１１。
【考案の詳細な説明】
【技術分野】
【０００１】  この考案は、コンクリートブロックなどに使用する脱着式の縁石ブロックに関するものである。
【背景技術】
【０００２】  従来は、図１に示すように、縁石２１とコンクリートブロック２２は一体であった。
【考案の開示】
【考案が解決しようとする課題】
【０００３】  図２に示すように、車道３１と空き地３３の間には、縁石２１が一体になっているコンクリートブロック２２と歩道３２が設けられている。
空き地３３に建物などが建設される場合、自動車３４が車道３１と空き地３３を出入りするため、縁石２１を取り除かなければならなくなる。
しかし、縁石２１を取り除くには次のような欠点があった。
１：縁石２１とコンクリートブロック２２は一体になっているため、縁石２１をコンクリートブロック２２から切り取るか、縁石２１を砕くなどするため、カッターや破砕機などの大掛かりな機器を用意しなければならない。
２：カッターや破砕機などの大掛かりな機器を用意しなければならないため、車道３１や歩道３２を片側ないし全面を通行止めにしたりするので、交通渋滞や交通安全などの問題が生じる。
これらの欠点を解決するために、図３に示すような、コンクリートブロック１１に脱着できる縁石ブロック１を考案した。
【課題を解決するための手段】
【０００４】  まず請求項１について説明する。
（イ）直方体形状の縁石ブロック１の底部２に、縁石ブロック１と一体になった直方体形状の足部３を２以上設ける。
（ロ）直方体形状の縁石ブロック１の上面４から直方体形状の足部３の底部７の中央に通じる孔５を設ける。
（ハ）孔５の内部に雌ネジ部６を設ける。
本考案は、以上のような構成になっているコンクリートブロック１１に脱着できる縁石ブロック１である。【０００５】  次に、請求項２について説明する。
（チ）四角形状を成す上面１４に穴１５を２以上設ける。
（リ）穴１５を設ける位置は、四角形状を成す上面１４の長手方向で排水路１３に沿う直線上である。
（ヌ）穴１５の内部に雌ネジ部１６を設ける。
以上のような構成になっている、請求項１の縁石ブロック１を取り付けることができるコンクリートブロック１１である。
【考案の効果】
【０００６】  本考案により、次の効果が生まれる。
１：縁石ブロック１とコンクリートブロック１１はボルト１８で固定されるので、縁石ブロック１をコンクリートブロック１１から取り外すには、ボルト１８を緩めて抜き取れば済む。
このため、カッターや破砕機などの大掛かりな機器を用意する必要はなくなり、工事経費を削減できる。
２：縁石ブロック１をコンクリートブロック１１から取り外すには、ボルト１８を緩めて抜き取れば済むので、カッターや破砕機などの大掛かりな機器などを使用したときに比べ、作業時間を大幅に短くできるので、工事経費を削減できる。
３：カッターや破砕機などの大掛かりな機器を用意しないので、作業時間を大幅に短くできるから、車道３１や歩道３２の片側ないし全面を通行止めにする時間も大幅に短くでき、交通渋滞や交通安全などの問題も軽微で済むようになる。
４：縁石ブロック１とコンクリートブロック１１が分離してあるため、従来の一体であるときに比べ、コンクリートブロック１１の縁石２１による出っ張りを気にしないで済み、自動車への積載が楽になり、積載も安定し、搬送し易くなる。
５：縁石ブロック１とコンクリートブロック１１をボルト１８で固定すると、直方体形状の足部３があるため、縁石ブロック１とコンクリートブロック１１の間に隙間４１が生じる。（図５）
この隙間４１は、歩道３２に溜まる雨水の水はけの役割をすることになる。
このため、従来の縁石２１とコンクリートブロック２２が一体のときに縁石２１の下部中央部に設けていた排水口（図示しない）が必要なくなる。
６：本考案は、従来の縁石２１とコンクリートブロック２２が一体のときに埋設した後に行なう、縁石２１ａと縁石２１ｂの間に生じる隙間をそのままにする。このため目地処理は行なわないので工事費用を削減できる。
【考案を実施するための最良の形態】
【０００７】  次に本考案を実施するための最良の形態を説明する。
まず請求項１であるが、
（イ）の直方体形状の縁石ブロック１の底部２に、縁石ブロック１と一体になった直方体形状の足部３を２以上設けることについて説明する。
縁石ブロック１の底部２に足部３を設けると、設けない場合に比べ、コンクリートブロック１１の上面１４との安定が増すためである。
直方体形状の足部３を２ヶ所設ける場合は、底部２の長手方向の両端に近いところがよい。
直方体形状の足部３を３ヶ所設ける場合は、底部２の長手方向の両端に近いところと底部２の中央部がよい。
足部３の形状は直方体形状が一般的であるが、コンクリートブロック１１の形状や用途に応じて、直方体形状以外の多角形状や円柱形状や楕円形状にしてもよい。【０００８】  直方体形状の足部３の設け方であるが、強度の面から考えると、縁石ブロック１と一体にして直方体形状の足部３を製造することが好ましい。【０００９】  粘着剤を使用する方法もある。縁石ブロック１と直方体形状の足部３を別々に製造して、それらを粘着剤で取り付ける方法である。強度の面から考えると好ましいとはいえない。【００１０】  次に、（ロ）の直方体形状の縁石ブロック１の上面４から直方体形状の足部３の底部７の中央に通じる孔５を設けると（ハ）の孔５の内部に雌ネジ部６を設けることについて説明する。
縁石ブロック１をコンクリートブロック１１に備えつけたり外したりする方法として本考案は、ボルト１８を使用する。
それは、備えつけたり外したりする作業の簡便さと、縁石ブロック１とコンクリートブロック１１の結合の強度を得るためである。
縁石ブロック１とコンクリートブロック１１の結合に粘着剤を使用する方法もあるが、粘着剤を剥がす手間がかかるのと強度の面から好ましいとはいえない。【００１１】  次に、請求項２であるが、
（チ）の四角形状を成す上面１４に穴１５を２以上設けることについて説明する。
請求項２は、請求項１の縁石ブロック１を取り付けるコンクリートブロック１１である。そのため当然ながら、縁石ブロック１に２ヶ所の孔を設ければ、コンクリートブロック１１の穴１５も２ヶ所設ける必要がある。縁石ブロック１に３ヶ所の孔を設ければ、コンクリートブロック１１の穴１５も３ヶ所設ける必要がある。【００１２】（リ）の穴１５を設ける位置は、四角形状を成す上面１４の長手方向で排水路１３に沿う直線上であることについて説明する。
コンクリートブロック１１の形状は色々あるが、直方体形状が一般的であり、その上面１４は四角形状を成す。コンクリートブロック１１を道路に埋設する場合、図４や図６で示すように、縁石ブロック１はコンクリートブロック１１の上面１４の歩道３２側に設ける。そして、その設置位置は上面１４の長手方向で排水路１３に沿う直線上にする。要するに、縁石ブロック１の孔５と対応する位置である。
ただ、コンクリートブロック１１によっては、上面１４の長手方向で排水路１３に沿うようにスリット（図示しない）が設けられているものもあるので、スリットを避けて、縁石ブロック１が設置し易い位置に穴１５を設けることになる。【００１３】（ヌ）の穴１５の内部に雌ネジ部１６を設けることについて説明する。
本考案のコンクリートブロック１１は請求項１の縁石ブロック１を取り付けるものであるから、孔５と対応する位置に穴１５を設け、穴１５の内部に雌ネジ部１６を設ける。
【図面の簡単な説明】
【００２０】
【図１】は、縁石２１が一体になっているコンクリートブロック２２の側面断面図である。
【図２】は、縁石２１とコンクリートブロック２２が道路に埋設されていることを示す平面図である。
【図３】は、請求項１の縁石ブロック１の正面断面図である。
【図４】は、請求項１の縁石ブロック１を請求項２のコンクリートブロック１１に取り付けようとする側面断面図である。
【図５】は、請求項１の縁石ブロック１を請求項２のコンクリートブロック１１に取り付けた正面図である。
【図６】は、請求項１の縁石ブロック１と請求項２のコンクリートブロック１１が道路に埋設されていることを示す平面図であり、縁石ブロック１を外したものが中央のコンクリートブロック１１である。
【符号の説明】
【００２０】１縁石ブロック      ２底部      ３足部      ４上面    ５孔
６雌ネジ部      ７足部の底部
１１コンクリートブロック      １３排水路      １４上面
１５穴      １６雌ネジ部      １８ボルト
２１，２１ａ，２１ｂ縁石      ２２コンクリートブロック
２３排水路    ２４隙間
３１車道      ３２歩道      ３３空き地      ３４自動車
４１隙間
【図１】
0003130256.tif 000003
【図２】
0003130256.tif 000004
【図３】
0003130256.tif 000005
【図４】
0003130256.tif 000006
【図５】
0003130256.tif 000007
【図６】
0003130256.tif 000008